(57)【特許請求の範囲】
【請求項１】
柔軟に屈曲可能でガスバリア性を有するシート材からなり、上面と、長手方向前後に対向する一対の端面と左右に対向する一対の側面とを有し、且つ下面が開放された箱状のカバー本体と、
前記カバー本体の長手方向に直交する、前記一対の端面を含む複数の面にそれぞれ配置され、当該カバー本体の上面と両側面に外側から固定された、線材ないし棒材からなる複数のゲート形のカバー枠とを備えて、長手方向に縮めてコンパクトに折り畳み可能に構成され、
前記それぞれのカバー枠は、解剖台の長手方向両側縁部上面に設けられている複数の支持孔のそれぞれに抜き差し自在に保持される垂直部分を左右両側に有し、これらの垂直部分の下端近傍位置には、前記支持孔内への侵入深さを規制するストッパ部材が設けられているとともに、
前記カバー本体の両端面ならびに両側面の、ストッパ部材より下方部分は、カバー枠には固定されておらず、解剖台上面の周縁部を密封するように内側に折り込み可能であることを特徴とする解剖台用被剖検体カバー。
【請求項２】
カバー本体の前後一対の端面の一方には、閉塞可能な外気取込口が設けられているとともに、他方には、カバー本体内の空気を排気するための排気ホースを着脱可能で且つ前記ホースを外したときには閉塞可能な排気口が設けられていることを特徴とする請求項１に記載の解剖台用被剖検体カバー。
【請求項３】
カバー枠が、左右両側の垂直部分上端からそれぞれ中央に向けて下方に傾斜した略Ｍ形状に形成されていることを特徴とする請求項１又は２に記載の解剖台用被剖検体カバー。
【発明の詳細な説明】
【技術分野】
【０００１】
本発明は、解剖台上に載置された被剖検体に被せ、当該被剖検体から発生するホルマリン等の有害ガスが解剖室内へ流出・拡散することを防止するための、解剖台用被剖検体カバーに関する。
【背景技術】
【０００２】
医学部や歯学部においては、例えば、図１３に記載されているような解剖台に被剖検体を載置して解剖の実習が行われている（特許文献１参照）。同図に示すように、解剖台ａ１には、被剖検体（図示せず）を載せる上面ａ２の両側の長辺に沿って、内側に向いた吸込スリットａ３を有する一対のプリーナムボックスａ４が設けられている。
【０００３】
これらのプリーナムボックスａ４の内部には気体の流通路が形成されていて、それぞれ吸引ダクトａ５を介して解剖台ａ１下部に設けられた気体集合チャンバーａ６に連結され、気体集合チャンバーａ６はさらにフィルターを備える有害物除去部ａ７に連結されている。また、有害物除去部ａ７の下流側にはブロワー等の気体輸送装置ａ８が連結されている。
【０００４】
解剖実習に用いられる被剖検体は、腐敗や細菌の繁殖を防ぐために、ホルマリンで処理されているため、被剖検体から発散するホルムアルデヒド等の有害物質により、実習を受ける医学生等の健康が損なわれないように、実習中は、気体輸送装置ａ８を駆動して、被剖検体の両側に対向する吸込スリットａ２から空気とともに前記有害物質を吸引して解剖室内に拡散しないようにしている。
【０００５】
そして、これらの吸込スリットａ３から吸い込まれた有害物質を含んだ空気は、解剖台ａ１の有害物除去部ａ７内の図示しないフィルタで濾過されて清浄化された後、気体輸送装置ａ８を介して室内に放出されるようになっている。
【０００６】
このような、解剖台を用いて行われる解剖実習は、長期間に亘って行われるため、実習を中断するときは、被剖検体に殺菌消毒と乾燥を防ぐ目的でエタノールを噴霧し、これをエタノールを噴霧した布で包み、その外側をさらにビニールシートで包んで、次回の実習が開始されるまで解剖台上に載置している。また、場合によっては、被剖検体が人目に触れないように、ビニールシートの上からさらに、青色のシートで覆っておくこともある。
【０００７】
ところが、毎回、解剖実習後に被剖検体をビニールシート等で包む作業は、手間と時間がかかり、また、次回の実習開始時に開けたビニールシートの中から高濃度の有害物質やエタノール等が解剖室内に拡散する問題があった。
【０００８】
また、ビニールシートに包まれた被剖検体を解剖台上に載置いている間に、ビニールシートの隙間から内部のエタノールが解剖室内に蒸散すると、エタノール中に含まれている水分が室内の湿度を上昇させて、雑菌を発生させる虞があった。
【０００９】
一方、前述したような問題に対処するため、特許文献２に示すように、解剖台に解剖体（被剖検体）を開閉自在に覆うカバー部材を設けることが提案されている。
同文献に記載されている解剖台においては、解剖体を解剖台上に置いた状態にしておく場合に、解剖台に付属しているカバー部材を解剖台の上部側に回動して解剖体を外気と接触しないように覆って、解剖体から発生するホルマリンガス等の有害ガスの発散を抑え、同時に当該解剖体から拡散する細菌の空気感染を防止するようにしている。
【先行技術文献】
【特許文献】
【００１０】
【特許文献１】特開２００９−２２６２２２号公報
【特許文献２】特開２００４−４５１号公報
【発明の概要】
【発明が解決しようとする課題】
【００１１】
前述した特許文献２に記載されている解剖台においては、解剖台の台部の両側の長辺に各２枚ずつ合計４枚の台形状カバー部材が取り付けられ、また短辺両側にそれぞれ１枚ずつ三角形状のカバー部材が取り付けられていて、これらを上方に回動して解剖台上方で屋根状に合わせて、解剖体を覆う構造になっているため、解剖台の周囲にこれらを開閉するためのスペースが必要となる問題があった。
【００１２】
また、カバー部材が解剖台上方を屋根状に覆う構造上、前述した図１３に示す解剖台のように、解剖台上面の両側に左右両側から空気を吸引する吸込スリットを有するプリーナムボックスを配置することができないため、カバー部材を開放して解剖体の解剖実習等を行う場合に、解剖体から発散する有害物質の吸引が不完全になって周囲に拡散してしまう虞があった。
【００１３】
そこで、本発明は、前述したような従来技術における問題点を解消し、構造が簡単で、解剖台上に置かれた被剖検体から発散する有害物質や細菌の周囲へ拡散を効果的に防ぐことができるとともに、簡単な加工を施すだけで既存の解剖台にも簡単に取り付けることができ、且つ、取り外し時にはコンパクトに折り畳むことのできる解剖台用被剖検体カバーを提供することを目的とする。
【課題を解決するための手段】
【００１４】
前記目的のために提供される本発明の解剖台用被剖検体カバーは、  柔軟に屈曲可能でガスバリア性を有するシート材からなり、上面と、長手方向前後に対向する一対の端面と左右に対向する一対の側面とを有し、且つ下面が開放された箱状のカバー本体と、前記カバー本体の長手方向に直交する、前記一対の端面を含む複数の面にそれぞれ配置され、当該カバー本体の上面と両側面に外側から固定された、線材ないし棒材からなる複数のゲート形のカバー枠とを備えて、長手方向に縮めてコンパクトに折り畳み可能に構成されている。
【００１５】
前記それぞれのカバー枠は、解剖台の長手方向両側縁部上面に設けられている複数の支持孔のそれぞれに抜き差し自在に保持される垂直部分を左右両側に有し、これらの垂直部分の下端近傍位置には、前記支持孔内への侵入深さを規制するストッパ部材が設けられているとともに、前記カバー本体の両端面ならびに両側面の、ストッパ部材より下方部分は、カバー枠には固定されておらず、解剖台上面の周縁部を密封するように内側に折り込み可能になっている。
【００１６】
本発明の解剖台用被剖検体カバーにおいては、カバー本体の前後一対の端面の一方には、閉塞可能な外気取込口が設けられているとともに、他方には、カバー本体内の空気を排気するための排気ホースを着脱可能で且つ前記ホースを外したときには閉塞可能な排気口が設けられていることが望ましい。また、カバー枠が左右両側の垂直部分上端からそれぞれ中央に向けて下方に傾斜した略Ｍ形状に形成されていることも望ましい。
【発明の効果】
【００１７】
請求項１に記載された発明に係る解剖台用被剖検体カバーによれば、解剖台への取り付けを容易に行うことができ、解剖台上に置かれた被剖検体から発散する有害物質や細菌の周囲へ拡散を効果的に防ぐことができる。
【００１８】
また、解剖台から取り外したときには、コンパクトに折り畳むことができるため、持ち運びが容易で狭い場所に収納しておくことができる。また、簡単な加工を施すだけで既存の解剖台にも簡単に取り付けることができる。
【００１９】
請求項２に記載された発明に係る解剖台用被剖検体カバーによれば、請求項１に記載された発明の効果に加えてさらに、解剖台上面に被せるカバー内の空気を吸排気できる構造になっていない解剖台であっても、カバー本体の前後一対の端面の一方に設けられた外気取込口を開放し、他方に設けられた排気口に排気ホースを連結し、排気ホースを通じてカバー本体内部の空気を吸い出すことにより、外気取込口から外気がカバー本体内部に流入し、カバー本体内部が換気されるため、被剖検体から発生してカバー本体内部に溜まったホルマリン等の有害物質をカバーを外す前に除去することができ、カバー開放時に有害物質を吸引して健康を損なう危険を回避することができる。
【００２０】
請求項３に記載された発明に係る解剖台用被剖検体カバーによれば、カバー枠が左右両側の垂直部分上端からそれぞれ中央に向けて下方に傾斜した略Ｍ形状に形成されていることにより、被剖検体から発生した有害物質を含んだ水分がカバー本体上面内側に結露しても、水分が垂直な両側面を伝わって解剖台上面に流れ落ちずに、傾斜したカバー本体上面の中央側に集められるため、カバー開放前に行うカバー本体内部の換気によって、安全且つ効果的に取り除くことができる。
【図面の簡単な説明】
【００２１】
【図１】本発明に係る解剖台用被剖検体カバーを解剖台に取り付けた状態を示す斜視図である。
【図２】本発明に係る解剖台用被剖検体カバーの１実施形態における外観を示す斜視図である。
【図３】図２に示す解剖台用被剖検体カバーを折り畳んだ状態を示す斜視図である。
【図４】本発明に係る解剖台用被剖検体カバーの１実施形態を示すカバー枠位置における横断面図である。
【図５】図４の位置で被剖検体カバーを同図の右外側から見たカバー本体に対するカバー枠の取付構造を示す部分側面図である。
【図６】図５のＡ−Ａ断面図である。
【図７】図５のＢ−Ｂ断面図である。
【図８】解剖台に設けられるカバー枠の保持構造の一部を示す斜視図である。
【図９】カバー枠の連結具の詳細構造を示す上方から見た部分図である。
【図１０】図９のＣ−Ｃ断面図である
【図１１】排気口部分を示す部分断面図であり、（Ａ）は不使用時、（Ｂ）は、排気ホース連結時の状態をそれぞれ示す。
【図１２】本発明に係る解剖台用被剖検体カバーの別の実施形態を示すカバー枠位置における横断面図である。
【図１３】従来の解剖台の１例を示す斜視図である。
【発明を実施するための形態】
【００２２】
以下、本発明の実施形態について図面を参照して説明する。図１は、本発明の解剖台用被剖検体カバー（以下、被剖検体カバーという。）を解剖台に取り付けた状態を示す斜視図であって、実施形態における被剖検体カバー１は、医学部等において解剖実習後に、前述した図１３に示す解剖台ａ１と同様な構造の解剖台Ａ１上に載せてある被剖検体（図示せず）に被せ、次回の実習開始時まで、被剖検体から発散するホルマリン等の有害物質や細菌が解剖室内に拡散しないようにするために使用されるものである。
【００２３】
図２に示すように、被剖検体カバー１は、柔軟に屈曲可能でガスバリア性を有する透明樹脂シート材からなるカバー本体２と、ステンレス製の棒材からなる複数のカバー枠３から構成されている。カバー本体２は、上面２Ａと、長手方向前後に対向する一対の端面２Ｂと、左右に対向する一対の側面２Ｃとを有し、下面が開放された箱状に形成されている。
【００２４】
そして、被剖検体カバー１は、前記解剖台Ａ１から外した後、図３のように、長手方向に縮めてコンパクトに折り畳むことが可能であり、持ち運びが容易であるとともに、不使用時には、狭い場所への収納が可能になっている。
【００２５】
図４は、被剖検体カバー１の、一つのカバー枠３の位置における横断面図であって、カバー枠３は、両側の垂直部分３Ａと、これらの上端どうしをつなぐ水平部分３Ｂとからなるゲート状に形成されている。
【００２６】
なお、本実施形態のものにおいては、カバー本体２への組み付けの都合上、カバー枠３は、左右対称な略Ｌ字形の２つの部分どうしを水平部分３Ｂの中央位置で互いに後述する連結具４で連結してゲート状に組み立てられている。
【００２７】
カバー枠３は、カバー本体２の長手方向に直交する前後一対の端面を含む複数の面にそれぞれ配置されており、それぞれ、カバー本体２の上面２Ａと左右の両側面２Ｃの外側に固定されている。図２に示すように、カバー枠３は、本実施形態のものにおいては、カバー本体２の前後の端面に配置されるものを含めて合計７つ設けられている。
【００２８】
図５は、図４の位置で被剖検体カバー１を右外側から見たカバー本体２に対するカバー枠３の取付構造を示す部分側面図、図６は図５のＡ−Ａ断面図、図７はＢ−Ｂ断面図であって、これらの図に示すように、カバー枠３は、カバー本体２の上面２Ａと左右両側面２Ｃに沿ってこれらの外面に接着固定されている細幅の透明樹脂からなる固定帯５によって、カバー本体２に固定されている。
【００２９】
すなわち、図６に示すように、固定帯５は、その幅方向両側がカバー本体２の外面に接着されており、前記固定帯５の接着されていない中央部分とカバー本体２との間に長手方向に形成されているトンネル状の隙間Ｓにカバー枠３が挟み込まれて固定されている。
【００３０】
図７に最も明瞭に示されているように、それぞれのカバー枠３の垂直部分３Ａの下端近傍位置には、鍔状のストッパ部材６が溶接固定されている。図５及び図７に示すように、カバー本体２の側面２Ｃのストッパ部材６より下の部分には固定帯５が無く、この部分はカバー枠３に固定されておらず、内側に折込可能なスカート部２Ｄを構成している。
また、カバー部材２の前後の端面２Ａにおいても、ストッパ部材６の高さより下方部分は、内側に折込可能なスカート部２Ｄを構成している。
【００３１】
また、図８に示すように、前記垂直部分３Ａのストッパ部材６を貫通して下方に突出している部分Ｌは、解剖台Ａ１の長手方向両側縁部上面ＦＳに設けられている支持孔Ｈに挿入されて固定されている、筒状の保持スリーブＳＶ内に抜き差し自在に差し込まれて、垂直に保持されるようになっている。
【００３２】
保持スリーブＳＶは、その上端に有するフランジＦＲの下面を前記上面ＦＳの支持孔Ｈの周囲に溶接固定されており、カバー枠３の垂直部分３Ａを保持スリーブＳＶ内へ差し込んだときに、ストッパ部材６の下面が前記フランジＦＲの上面に当接することによって、前記垂直部分３Ａの保持スリーブＳＶ内への侵入深さが規制されている。
【００３３】
なお、本実施形態のものにおいては、支持孔Ｈに、保持スリーブＳＶを介して間接的にカバー枠３の垂直部分３Ａを差し込み保持しているが、解剖台Ａ１の構造によっては、支持孔Ｈ内に直接前記垂直部分３Ａを差し込んで保持するようにしてもよい。
【００３４】
次に、図９は、カバー枠３の水平部分３Ｂの中央位置に設けられている連結具の詳細構造を示す、上方から見た部分図、図１０は、図９のＣ−Ｃ断面図であって、これらの図に示すように、左右に分割されているカバー枠３の対向するそれぞれの端面には、所定長さ互いに逆向きの雄ねじＰ１、Ｐ２が形成されている。
【００３５】
一方、連結具４の中心部には、これらの雄ねじＰ１、Ｐ２にそれぞれ螺合する互いに逆向きの雌ねじ（図示を省略）が左右同軸上に形成されており、連結具４に両側からカバー枠３の雄ねじＰ１、Ｐ２を螺合して連結具４を一方向に回転させることにより、カバー枠３の左右両側の端面は互いに引き寄せられ、相互に押し付けられた状態で一体に固定される。
【００３６】
また、連結具４を反対方向に回転させることにより、カバー枠３は、左右に２つの部分に分離することができる。なお、図示していないが、連結具４の外周面にはスパナを係合させて回転させるための係合部が形成されている。
【００３７】
図１及び図２に示すように、本実施形態の被剖検体カバー１においては、カバー本体２の前側（図１に解剖台Ａ１において被剖検体の頭側）の端面２Ｂには、外気取込口７が横に２つ並べて設けられている。
【００３８】
外気取込口７は、カバー本体２の前側端面２Ｂから前方へ突出する樹脂製の短管７Ａによって構成されていて、短管７Ａ外周にチェーン７Ｂで連結された蓋体７Ｃによって閉塞可能になっている。
【００３９】
また、カバー本体２の後側の端面２Ｂには、２つの排気口８が前側端面２Ｂに設けられている前記２つの外気取込口７よりも低位置に横に並べて設けられている。これらの排気口８は、図１１（Ａ）に示すように、カバー本体２の後側端面２Ｂから後方へ突出する前記外気取込口７と同様な樹脂製の短管８Ａによって構成されていて、短管８Ａ外周にチェーン８Ｂで連結された蓋体８Ｃによって閉塞可能になっている。
【００４０】
これらの短管８Ａは、図１１（Ｂ）に示すように、蓋体８Ｃを外した状態において、排気ホース９の一端を連結できるようになっている。前記排気ホース９は、図１に示すように、被剖検体カバー１を解剖台Ａ１の上面Ａ２に被せた状態において、その他端をプリーナムボックスＡ４の後端面に設けられている吸気口Ａ５に連結し、カバー本体２内の空気をプリーナムボックスＡ４側へ吸引して排気するためのものである。
なお、プリーナムボックス４Ａ側の吸気口Ａ５は、排気ホース９を連結しない時は、蓋体によって閉塞できるようになっている。
【００４１】
次に、前述したように構成されている被剖検体カバー１の使用方法について説明する。
解剖実習が一端終了したら、解剖台Ａに載置されている被剖検体に殺菌消毒と乾燥を防ぐためにエタノールを噴霧した後、これをエタノールを噴霧した布で包む。
【００４２】
その後、図３に示すように折り畳んで収納されていた被剖検体カバー１の後端側のカバー枠３両側の下端を、解剖台１Ａの長手方向最後端の左右両側の支持孔Ｈに設けられている保持スリーブＳＶ（図４、図８参照）に差し込み、その後、被剖検体カバー１を長手方向前方に引っ張って伸ばしながら、順次、前方の左右両側の支持孔Ｈの保持スリーブＳＶに差し込んでいき、図１に示すように、被剖検体カバー１を解剖台Ａ１の上面Ａ２全体を覆うように取り付ける。
【００４３】
さらに、カバー本体２の前後の端面２Ｂと左右の側面２Ｃのそれぞれの下方に連続して設けられているスカート部２Ｄを、解剖台１Ａの上面Ａ２の内側に折り込むようにして、被剖検体が載っている解剖台Ａ１の上面Ａ２の周囲から空気が漏れないように密封する。
【００４４】
また、カバー本体２の前後の端面２Ｂに設けられている外気取込口７と排気口８はそれぞれ蓋体７Ｃ、８Ｃによって閉塞しておき、この状態で被剖検体は、次回の解剖実習が再開されるまで解剖室に保管される。
【００４５】
次に、解剖実習を再開する場合には、解剖台Ａ１に装着されている被剖検体カバー１のカバー本体２から外気取込口７の蓋体７Ｃと、排気口８の蓋体８Ｃをそれぞれ取り外すとともに、解剖台Ａ１のプリーナムボックス４Ａ側の吸気口Ａ５の蓋体を外し、排気口８と吸気口Ａ５の間を排気ホース９で連結する。
【００４６】
次いで、解剖台Ａ１に内蔵されている図示していないブロワーを駆動して、排気ホース９を介してカバー本体２内の空気を吸引し、被剖検体や、これを包んでいる布から発散してカバー本体２内に充満しているホルマリン等の有害物質やエタノールを含んだ空気を、外気取込口７からカバー本体２内に流入してくる外部の空気と置換する。
【００４７】
こうして、カバー本体２内の空気が清浄化された後、ブロワーを一端停止して排気ホース９を外し、プリーナムボックス４Ａ側の吸気口Ａ５に蓋体を装着してから被剖検体カバー１を解剖台Ａ１の長手方向前端側から順次外してゆく。
【００４８】
被剖検体カバー１を完全に取り外した後、再び解剖台Ａ１のブロワーを駆動し、上面Ａ２の左右両側のプリーナムＡ４に設けられてる吸込スリットＡ３から空気の吸引を開始して解剖実習を再開する。解剖台Ａ１から取り外した被剖検体カバー１は、図３に示すように折り畳んで、次の使用時まで所定の場所に収納しておく。
【００４９】
なお、カバー本体２の内側に吸気口と排気口を有して換気を行える構造の解剖台においては、カバー本体２に前述したような外気取込口７や排気口８を設ける必要は無く、このような構造の解剖台を用いる場合には、解剖実習再開時において、被剖検体カバー１を取り外す前に、解剖台が備えている吸排気システムを駆動してカバー本体２内の有害物質を含む空気を清浄な空気と換気すればよい。
【００５０】
また、カバー本体２の前後の端面２Ｂに外気取込口７や排気口８を設ける代わりに、これらの端面２Ｂの周縁部をそれぞれ隣接するカバー本体２の上面２Ａと両側面２Ｃにファスナ等で開閉可能に連結し、被剖検体カバー１を取り外す前に、これらの端面２Ｂを両方とも開放してカバー本体２の前端から内部に空気を吹き込むとともに、後端から吸引して強制換気するようにしてもよい。
【００５１】
次に、図１２は、本発明の解剖台用被剖検体カバーの別の実施形態を示すカバー枠の位置における横断面図であって、この実施形態における被剖検体カバー１’は、カバー枠３’のみが前述した被剖検体カバー１と異なっている。
【００５２】
すなわち、本実施形態のものにおいては、カバー枠３’の左右両側の垂直部分３’Ａの上端からそれぞれ中央に向けて、下方に傾斜した傾斜部分３’Ｂを有して略Ｍ形状に形成されている。
【００５３】
この被剖検体カバー１’においては、被剖検体から発生した有害物質を含んだ水分がカバー本体上面２Ａの内側に結露して水滴になっても、これが垂直な両側面２Ｃを伝わって解剖台上面に流れ落ちずに、傾斜した上面２Ａの中央側に集められるため、被剖検体カバー１’を開放する前に行うカバー本体２内部の空気の吸引排気時に蒸散して安全に除去される。
【００５４】
なお、前述した各実施形態においては、カバー枠３、３’にステンレス棒材を用いているが、カバー本体２が軽量である場合には、太めのステンレス線材を用いてもよい。また、ステンレスに限らず、必要な強度が得られれば、アルミニウム等、他の素材によって製作することも可能である。
【００５５】
また、前述した各実施形態においては、カバー本体２の素材に透明樹脂シート材を用いているが、これに限定するものではなく、柔軟に屈曲可能でガスバリア性を有するシート材であればよい。
【産業上の利用可能性】
【００５６】
本発明の解剖台用被剖検体カバーは、医学部や歯学部の解剖実習で用いる解剖台に利用できるほか、動物の解剖台にも利用可能である。
【符号の説明】
【００５７】
１、１’      解剖台用被剖検体カバー
２    ’      カバー本体
２Ａ          上面
２Ｂ          端面
２Ｃ          側面
２Ｄ          スカート部
３、３’      カバー枠
３Ａ、３’Ａ  垂直部分
３Ｂ          水平部分
３’Ｂ        傾斜部分
４            連結具
５            固定帯
６            ストッパ部材
７            外気取込口
７Ａ          短管
７Ｂ          チェーン
７Ｃ          蓋体
８            排気口
８Ａ          短管
８Ｂ          チェーン
８Ｃ          蓋体
９            排気ホース
【要約】
【課題】  構造が簡単で、解剖台上に置かれた被剖検体から発散する有害物質や細菌の周囲へ拡散を効果的に防ぐことができるとともに、簡単な加工を施すだけで既存の解剖台にも簡単に取り付けることができ、且つ、コンパクトに折り畳むことのできる解剖台用被剖検体カバーを提供する。
【解決手段】  柔軟に屈曲可能でガスバリア性を有するシート材からなる下面が開放された箱状のカバー本体２と、前記カバー本体２の長手方向に直交する複数の面にそれぞれ配置され、当該カバー本体２の上面と両側面に外側から固定された、線材ないし棒材からなる複数のカバー枠３とを備え、それぞれのカバー枠３は、解剖台の長手方向両側縁部上面に設けられている支持孔に抜き差し自在に支持される垂直部分を左右両側に有している。
【選択図】  図２【図１】
0004822470.tif 000002
【図２】
0004822470.tif 000003
【図３】
0004822470.tif 000004
【図４】
0004822470.tif 000005
【図５】
0004822470.tif 000006
【図６】
0004822470.tif 000007
【図７】
0004822470.tif 000008
【図８】
0004822470.tif 000009
【図９】
0004822470.tif 000010
【図１０】
0004822470.tif 000011
【図１１】
0004822470.tif 000012
【図１２】
0004822470.tif 000013
【図１３】
0004822470.tif 000014